(57)【要約】【課題】雨水を有効に利用する樋装置の提供。【解決手段】横樋の排水手段に、横樋の水路上に横樋の高さ方向に延び、横樋の側壁よりも低い所定の高さに水を排出する開口を有する筒状の排水口を備えるとともに、横樋の水路上に排水口に近接して、排水口の開口の高さよりも高く、横樋の側壁の高さよりも低い所定の高さを有する遮断壁を備え、横樋を、水路上に土壌を入れて水を遮断壁の高さまで保有する土壌・水保有部と、排水口の周囲に土壌・水保有部から溢れた排水を一時滞留する排水滞留部に画して構成し、横樋の水路上に植生物を育成しながら、水を排出する。【選択図】図２
2007169922.tif 000002
【特許請求の範囲】
【請求項１】
断面略Ｕ字形又は断面略コ字形の水路を有する樋と、前記樋の水路上に設けられた排水手段とを備え、前記樋で受けた水を前記排水手段へ流し、排出する樋装置において、
前記排水手段として、前記樋の水路上に前記樋の高さ方向に延び、前記樋の側壁よりも低い所定の高さに水を排出する開口を有する筒状の排水口を備えるとともに、
前記樋の水路上に前記排水口に近接して、前記排水口の開口の高さよりも高く、前記樋の側壁の高さよりも低い所定の高さを有する遮断壁を備え、
前記樋を、
前記水路上に土壌を入れて水を前記遮断壁の高さまで保有する土壌・水保有部と、
前記排水口の周囲に前記土壌・水保有部から溢れた排水を一時滞留する排水滞留部に画して構成し、
前記樋の水路上に植生物を育成しながら、水を排出することを特徴とする樋装置。
【請求項２】
排水口及び遮断壁は樋に着脱可能に備える請求項１に記載の樋装置。
【請求項３】
樋の土壌・水保有部上に複数のピンを備える請求項１又は２に記載の樋装置。
【発明の詳細な説明】
【技術分野】
【０００１】
本発明は、雨樋や植生物育成装置として使用する樋装置に関する。
【背景技術】
【０００２】
一般に、雨樋は、屋根の軒先に取り付けられ、断面略Ｕ字形又は略コ字形の水路を有する雨樋（横樋）と、この横樋の排水口に下方に向けて取り付けられ、略筒形形状の水路を有する雨樋（縦樋）とにより構成され、屋根から流れ落ちる雨水を横樋で受けて、この横樋、そして縦樋を経て地下又は地上の排水管へ排水するようになっている。この種の雨樋は、例えば特許文献１に記載されている。
【特許文献１】特開２００５−６１０５５公報
【発明の開示】
【発明が解決しようとする課題】
【０００３】
しかしながら、従来の雨樋は屋根から流れ落ちる雨水を受けると、即時排水する構造のため、雨樋が雨水の有効利用に活用されていないという問題がある。
【０００４】
本発明は、このような従来の問題を解決するもので、雨水を有効に利用できる雨樋として、また、専ら雨水を有効に利用した植生物育成装置として使用でき、居住環境の改善に役立つ樋装置を提供することを目的とする。
【課題を解決するための手段】
【０００５】
上記目的を達成するために、本発明の樋装置は、断面略Ｕ字形又は断面略コ字形の水路を有する樋と、前記樋の水路上に設けられた排水手段とを備え、前記樋で受けた水を前記排水手段へ流し、排出する樋装置において、前記排水手段として、前記樋の水路上に前記樋の高さ方向に延び、前記樋の側壁よりも低い所定の高さに水を排出する開口を有する筒状の排水口を備えるとともに、前記樋の水路上に前記排水口に近接して、前記排水口の開口の高さよりも高く、前記樋の側壁の高さよりも低い所定の高さを有する遮断壁を備え、前記樋を、前記水路上に土壌を入れて水を前記遮断壁の高さまで保有する土壌・水保有部と、前記排水口の周囲に前記土壌・水保有部から溢れた排水を一時滞留する排水滞留部に画して構成し、前記樋の水路上に植生物を育成しながら、水を排出することを要旨とする。この場合、排水口及び遮断壁は樋に着脱可能に備えることが好ましい。また、樋の土壌・水保有部上に複数のピンを備えることが好ましい。
【発明の効果】
【０００６】
本発明の樋装置は、上記構成により、雨水を有効に利用できる雨樋として、また、専ら雨水を有効に利用した植生物育成装置として使用でき、居住環境の改善に役立てることができる。
【発明を実施するための最良の形態】
【０００７】
以下、本発明の一実施の形態について図を用いて説明する。図１において、樋装置１は、横樋２と、縦樋６とを備える。横樋２は、従来と同様に、ステンレス、アルミニウム等の金属材料や、硬質塩化ビニル樹脂等のプラスチック材料により、断面略コ字形の溝形形状に形成されて、底壁２１と、両側壁２２と、両端壁２３とにより構成され、断面略コ字形の水路２０を有している。この横樋２の水路２０の一端には、底壁２１に接続口３０が形成されて、この接続口３０に排水口（３）が取り付けられる。縦樋６は、従来と同様に、ステンレス、アルミニウム等の金属材料や、硬質塩化ビニル樹脂等のプラスチック材料により、略円筒形形状に形成されて、断面が円形の水路を有している。この縦樋６は横樋２の排水口（３）に接続されて、横樋２に垂設される。この樋装置１は、横樋２に従来と同じ形式の周知の排水口（ドレン、ストレーナなど）が取り付けられることで、従来と同様の仕様として構成され、この横樋２に特有の排水口３と遮断壁４、さらに複数のピン５が併せて設けられることで、この樋装置１特有の仕様として構成される。以下、この樋装置１特有の構成部品である排水口３、遮断壁４、複数のピン５について詳しく説明する。
【０００８】
排水口３は、ステンレス、アルミニウム等の金属材料や、硬質塩化ビニル樹脂等のプラスチック材料により、所定の長さを有する略円筒形形状に形成されて、両端に開口３１、３２を有し、これら開口３１、３２間が断面円形の排水路になっている。この排水口３は横樋２の接続口３０に水密に挿着されて、横樋２の水路２０上に横樋２の高さ方向に延ばされ、水を排出する一方の開口３１が横樋２の側壁２２よりも低い所定の高さ（底壁２１から４ｃｍ程度）に合わせられる。この排水口３の上部開口３１には、網材のストレーナが被着されてもよい。なお、この排水口３は、横樋２の接続口３０に対して着脱可能に取り付けられてもよく、また、ユーザーからの要求に応じて、後付けで固着されてもよい。
【０００９】
遮断壁４は、ステンレス、アルミニウム等の金属材料や、硬質塩化ビニル樹脂等のプラスチック材料により、横樋２の水路２０の断面形状に嵌合可能な略四角形状で、排水口３の上部開口３１の高さよりも高く、横樋２の側壁２２の高さよりも低い所定の高さに形成される。この遮断壁４は横樋２の水路２０上に排水口３に近接して取り付けられ、この遮断壁４により、横樋２は雨水を利用して排出する２つの機能部に画して構成される。横樋２の（排水口３の周囲を除く）水路２０上は、土壌を入れて水を遮断壁４の高さまで保有するための土壌・水保有部２０１として構成され、排水口３の周囲は、土壌・水保有部から溢れた排水を一時滞留する排水滞留部２０２として構成される。なお、この遮断壁４は、横樋２の水路２０上所定の位置に着脱可能に取り付けられてもよく、また、ユーザーからの要求に応じて、後付けで固着されてもよい。
【００１０】
複数のピン５は、金属材又はポリプロピレンやアクリルなどの樹脂材又は石材等で作られ、各ピン５は横樋２の底壁２１上に略等間隔に、横樋２の側壁２２よりも低い所定の高さに突出された状態に設置される。この場合、各ピン５は、ユーザーの要求に応じて、横樋２の底壁２１に直接固定されてもよく、また別体の付属品として形成されて底壁２１上に配置されてもよい。後者の場合、複数のピン５は横樋２の底壁２１上に設置可能なベースに一体的に立設されて構成される。なお、これらのピン５又はベースに外気に連通する通気手段が設けられることが好ましい。
【００１１】
このようにして樋装置１は横樋２の水路２０上に土壌が収容されて植生物を育成しながら、水を排出するようになっている。次に、この樋装置１の使い方及びその機能について具体的に説明する。
【００１２】
まず、この樋装置１は、図２に示すように、横樋２が屋根１１の軒先に合わせて略水平に向けて、（建物の）壁面１２に複数の支持具により取り付けられ、この横樋２の排水口３に接続された縦樋６が略垂直に向けて、壁面２に複数の支持具により取り付けられる。なお、この樋装置１の場合、横樋２の水路２０上に土壌が入れられるので、特に横樋２を、図３に示すように、通常よりも多い支持具１３で支持するか、又は、図４に示すように、横樋２の内側の側壁２２を壁面１２に直付けにし、壁面１２にさらに支持アーム１４を取り付けて、横樋２の底壁２１を下から支えるようにするなど、横樋２を壁面１２に強固に支持することが望ましい。
【００１３】
次に、図２に示すように、横樋２の土壌・水保有部２０１に土１５を入れて、水を含ませる。土壌・水保有部２０１の中に入れる土１５の量は、複数のピン５と同じ高さか、それよりも若干低い位置となる位が好ましい。このようにしてピン５とピン５との間に植生物の種子が埋め込まれる。なお、植生物としては特に蔦１６が好ましく、蔦１６を伸ばして屋根１１に這わせるようにするとよい。
【００１４】
このようにして雨が降ると、屋根１１から流れ落ちる雨水は横樋２で受けられる。横樋２の土壌・水保有部２０１に流れ込む雨水は、土壌１５の中に沁み込み、土壌１５が保水される。土壌・水保有部２０１には、水は遮断壁４の高さまで含有され、雨量が多く、この土壌・水保有部２０１に含有される水が遮断壁４の高さを超えると、この土壌・水保有部２０１から水が溢れて、遮断壁４の上から排水滞留部２０２に流れ込む。これにより、土壌・水保有部２０１に含有される水は遮断壁４の高さに調整（水はけ）され、土壌・水保有部２０１の中に植生物の育成に良い環境が作り出される。この土壌・水保有部２０１の中で、植生物は複数のピン５の間に根を張らせて、根張りを良くすることができる。なお、既述のとおり、土壌・水保有部２０１内に通気手段が設けられていると、この通気手段で土壌１５の中を十分に通気することができ、土壌１５中の微生物やバクテリアの活動を活発にし、自然界の要素の循環に近づけ、団粒構造を形成して、耕起を必要としない永年的構成基盤を維持することができ、この土壌・水保有部２０１内を植生物の育成にさらに良い環境とすることができる。また、屋根１１から流れ落ちる雨水や土壌・水保有部２０１から溢れた水が排水滞留部２０２に入ると、この水はここで一時滞留され、また雨水とともにごみや落ち葉が流れ込んでくると、ごみや落ち葉がこの排水滞留部２０２の底に沈んで滞留される。このようにして排水滞留部２０２は徐々に水位が上がり、やがて排水口３の上部開口３１に達すると、この開口３１から水が排出され、この排水口３、縦樋６を通じて、地中又は地上の排水管へ排水される。
【００１５】
なお、この樋装置１により蔦１６が育成され、屋根１１全体に這わせられると、この蔦１６により屋根１１は断熱され、暑い夏期は屋内を涼しく保ち、寒い冬期は屋内を温かく保つことができる。
【００１６】
以上説明したように、この樋装置１は、断面略コ字形の水路２０を有する横樋２と、横樋２の排水口に下方に向けて取り付ける、略筒形形状の水路を有する縦樋６とを備えているので、（横樋２と縦樋６とを接続する排水口に）従来式の排水口を採用することで、従来と同様に、横樋２で受けた雨水を、即時、排水口、縦樋へ流して、排出することができ、また、この樋装置１は、特有の排水口３、遮断壁４を備えているので、これら排水口３、遮断壁４を横樋２に取り付けて、横樋２を、水路２０上に土壌１５を入れて水を遮断壁４の高さまで保有する土壌・水保有部２０１と、排水口３の周囲に土壌・水保有部２０１から溢れた排水を一時滞留する排水滞留部２０２に画して構成することにより、横樋２に植生物を育成しながら、水を排出することができ、この樋装置１を雨水を有効に利用できる雨樋として活用することができる。そして、この樋装置１により雨水を利用して、特に蔦１６を育成し、屋根１１に這わせることで、屋根１１を断熱することができ、暑い夏期は屋内を涼しく保ち、寒い冬期は屋内を温かく保つことができ、居住環境を改善することができる。
【００１７】
また、特に、排水口３及び遮断壁４を横樋２に着脱可能に設けることにより、この樋装置１を、上記のとおり、従来形式の雨樋と、この樋装置１特有の雨樋に容易に変更することができる。さらに、横樋２の土壌・水保有部２０１上に複数のピン５を併せて備えることで、土壌・水保有部２０１の内部を植生物の育成に良い環境にすることができる。
【００１８】
なお、上記実施の形態では、横樋２を断面略コ字形の溝形形状に形成しているが、断面略Ｕ字形の溝形形状に形成して、断面略Ｕ字形の水路にしてもよい。また、縦樋６を略円筒形形状に形成しているが、略角形形状に形成して、断面が角形の水路にしてもよい。さらに、排水口３を略円筒形形状に形成しているが、略角形形状に形成して、断面が角形の排水路にしてもかまわない。またさらに、遮断壁４を略四角形状に形成しているが、この遮断壁４を横樋２の溝形形状に応じて変更し、横樋２を略Ｕ字形の溝形形状に形成すれば、この遮断壁４を略半円形状に形成する。このようにしても、上記実施の形態と同様の作用効果を奏することができる。
【００１９】
また、上記実施の形態では、樋装置１を、雨水を有効に利用する雨樋として例示しているが、この樋装置１を同じ構成で、専ら雨水を有効に利用する植生物育成装置（蔦類育成装置）として使用することもできる。この場合、この樋装置１を軒先に限定することなく、屋根の上や壁面の任意の位置に取り付けることができ、さらに建物の周囲に架台などを置き、その上に設置してもよい。
【図面の簡単な説明】
【００２０】
【図１】本発明の一実施の形態における樋装置の一部省略側面断面図
【図２】同樋装置の使い方及びその機能を示す斜視図
【図３】同樋装置の特に横樋の建物への取付例を示す断面図
【図４】同樋装置の特に横樋の建物への取付例を示す断面図
【符号の説明】
【００２１】
１  樋装置
２  横樋
２１  底壁
２２  側壁
２３  端壁
２０  水路
２０１  土壌・水保有部
２０２  排水滞留部
３０  接続口
３  排水口
３１  開口
３２  開口
４  遮断壁
５  ピン
６  縦樋
１１  屋根
１２  壁面
１３  支持具
１４  支持アーム
１５  土壌（土）
１６  蔦
【図１】
2007169922.tif 000003
【図２】
2007169922.tif 000004
【図３】
2007169922.tif 000005
【図４】
2007169922.tif 000006